(57)【要約】【課題】新たに開発した軒先通気用スペーサを用いて屋根内部の通気性と水切れを良くして、野地板等が雨水により腐食するのを未然に防いで耐久性を向上させること。【解決手段】野地板等の屋根下地２の上面から軒先３側にかけて雨漏り防止用のルーフィング材４が敷き込まれており、ルーフィング材４の軒先３側の端部の下面に軒先３の全長に至るように軒先通気用スペーサ１１を敷設し、軒先通気用スペーサ１１に軒先３に開放された通気部１３を一体に形成し、この通気部１３に屋根内部の通気及び水抜きを行なうための多数の通孔１４を設けた屋根の軒先構造である。【選択図】図１
2008002082.tif 000002
【特許請求の範囲】
【請求項１】
野地板等の屋根下地の上面から軒先側にかけて雨漏り防止用のルーフィング材が敷き込まれた屋根の軒先構造において、ルーフィング材の軒先側の端部の下面に軒先の全長に至るように軒先通気用スペーサを敷設し、軒先通気用スペーサに軒先に開放された通気部を一体に形成し、この通気部に屋根内部の通気及び水抜きを行なうための多数の通孔を設けたことを特徴とする屋根の軒先構造。
【請求項２】
上記通孔がルーフィング材の軒先側の端部よりも低い位置で上下方向に開口していると共に、通孔の前後の両側又はいずれか一方から下方に向かってリブを突設したことを特徴とする請求項１記載の屋根の軒先構造。
【請求項３】
上記通孔がルーフィング材の軒先側の端部よりも低い位置で前後方向に開口していると共に、通孔の上下から軒先側或いは下方側に向かってリブを突設したことを特徴とする請求項１記載の屋根の軒先構造。
【発明の詳細な説明】
【技術分野】
【０００１】
本発明は、一般住宅等の軒先の通気や水切りを行なうための屋根の軒先構造に関するものである。
【背景技術】
【０００２】
一般戸建住宅の屋根は勾配をとったものが多く、また屋根下地として合板からなる野地板が用いられ、この野地板を湿気から守り且つ屋根材を固定する釘穴からの雨水の浸入を防止する目的で、野地板と屋根材との間には雨漏り防止用のルーフィング材を敷き込むのが通例となっている。
【０００３】
つまり、ルーフィング材は屋根の二重防水としての役割を正しく機能させるために敷かれている。
【０００４】
ところが、軒先、谷、天窓などの納め方によって、万が一、雨水が浸入しても、現在の施工では、雨水の出口が確保されていなく、結果、淀、軒天、室内にまで雨水が廻るように施工してしまっているといえる。かといって、板金（屋根構造材）にシーリングを多用することは却って不都合である。その理由は、板金を構成する金属材は伸縮するため、シーリング切れは避けられず、場所によっては却って水を招き寄せる結果となりかねないからである。特に金属に対するシーリングは北国のような過酷な環境では耐用年数が短く、外部から見えない雨漏りが発生する心配がある。
【０００５】
そのためには、先ずルーフィング材を正しく敷き込むことが重要であり、さらにルーフィング材を止める釘や、屋根材を止める釘の下にシーリングを確実に施すことが二次防水機能を確保するうえで重要である。ところがこのように正しく施工した場合であっても、以下のような雨漏れが生じる場合がある。
【０００６】
図４、図５は、従来のトタン屋根１Ａの軒先構造を示している。図４で示したものでは、野地板等の屋根下地２の上面に雨漏り防止用のルーフィング材４を敷設し、ルーフィング材４の軒先側の端部をトタン屋根１Ａの軒先折曲部７で包み込むようにしているため、降雨時にはトタン屋根１Ａの上面から流れる雨水Ｗ１が表面張力によって矢印ハで示すように屋根内部に浸入したり、或いはルーフィング材４の上面を流れる雨水Ｗ２が矢印ニで示すように、ルーフィング材４の下面に回り込みやすくなり、野地板等を構成する木材を腐らせる原因となる。また、図５で示したものでは、水切り板６の前後２箇所に雨返し６ａ，６ｂを設けて、軒先３側から矢印ハで示す方向に雨水が浸入するのを防止しているが、降雨時にはルーフィング材４の上面を流れる雨水Ｗが矢印ニで示すように、ルーフィング材４の下面に回り込みやすくなる。
【０００７】
一方、図６、図７は、従来の瓦屋根１Ｂの軒先構造を示している。図６で示したものでは、ルーフィング材４の軒先３側の上面に瓦桟木５を載設し、瓦桟木５上に瓦屋根１Ｂを葺くようにしている。そして瓦桟木５の上面を水切り板６で覆うようにしており、瓦桟木５の下面に図６（ｂ）で示すように雨水排水用の凹溝５ａを形成して、この凹溝５ａ内から雨水Ｗを排水するようにしているが、瓦桟木５が雨水Ｗによって腐食しやすくなり、そのうえ、ルーフィング材４の上面から流れ落ちる雨水Ｗが矢印イで示すように、ルーフィング材４の下面に回り込みやすくなり、野地板等を腐らせる原因となる。また、図７で示したものでは、ルーフィング材４の軒先３側の端部に瓦桟木５の上面に被さるように段差部分４ａを設け、段差部分４ａの上面を水切り板６で覆うようにしているが、降雨時には、ルーフィング材４の段差部分４ａを乗り越えるようにして雨水Ｗが排水されるようになり、この段差部分４ａで雨水Ｗが堰きとめられてルーフィング材４上に溜まりやすく、そのうえ段差部分４ａを乗り越えた雨水Ｗが表面張力によって矢印イ、ロで示すように、瓦桟木５の上面や下面に回り込みやすくなる。
【０００８】
このため、トタン屋根１Ａや瓦屋根１Ｂにおいて、野地板等の屋根下地２や、瓦桟木５等の軒先構造部材の耐久性を向上させるうえで、屋根内部に雨水Ｗや湿気が溜まるのを防止し、尚且つ屋根内部の通気性を良くすることが、きわめて重要な課題となる。
【発明の開示】
【発明が解決しようとする課題】
【０００９】
本発明は上記の従来の問題点に鑑みて発明したものであって、屋根内部の通気性と水切れをそれぞれ良くできる軒先通気用スペーサを新規に開発し、これを用いて野地板等が雨水により腐食するのを未然に防いで耐久性を向上させるようにした屋根の軒先構造を提供することを課題とするものである。
【課題を解決するための手段】
【００１０】
前記課題を解決するために本発明は、野地板等の屋根下地２の上面から軒先３側にかけて雨漏り防止用のルーフィング材４が敷き込まれた屋根の軒先構造において、ルーフィング材４の軒先３側の端部の下面に軒先３の全長に至るように軒先通気用スペーサ１１を敷設し、軒先通気用スペーサ１１に軒先３に開放された通気部１３を一体に形成し、この通気部１３に屋根内部の通気及び水抜きを行なうための多数の通孔１４を設けたことを特徴としている。
【００１１】
このような構成とすることで、軒先通気用スペーサ１１の軒先３に開放された通気部１３に多数の通孔１４が存在するので、これら多数の通孔１４を通って外気が屋根内部に出入りするようになり、屋根内部に湿気が溜まらず乾燥状態に保つことができる。一方、降雨時にはルーフィング材４の上面を伝って流れ落ちる雨水Ｗが多数の通孔１４を通って外部へと速やかに排出されるので、通気性だけでなく水切りも良好となり、雨水Ｗによる野地板等の腐食を未然に防止できるようになる。
【００１２】
また上記通孔１４がルーフィング材４の軒先３側の端部よりも低い位置で上下方向Ａに開口していると共に、通孔１４の前後の両側又はいずれか一方から下方に向かってリブ１５，１６を突設するのが好ましい。
【００１３】
また上記通孔１４がルーフィング材４の軒先３側の端部よりも低い位置で前後方向Ｂに開口していると共に、通孔１４の上下から軒先３側或いは下方側に向かってリブ１７〜１９を突設するのが好ましい。
【発明の効果】
【００１４】
本発明に係る屋根の軒先構造は、ルーフィング材の軒先側の端部の下面に軒先の全長に至るように軒先通気用スペーサを敷設し、軒先通気用スペーサに軒先に開放された通気部を一体に形成し、この通気部に屋根内部の通気及び水抜きを行なうための多数の通孔を設けたことによって、軒先通気用スペーサを利用して十分な屋根通気が行なわれると共に、水切れ性にも優れた屋根の軒先構造を提供できるものである。
【発明を実施するための最良の形態】
【００１５】
以下、本発明を添付図面に示す実施形態に基いて説明する。
【００１６】
図１は本発明の屋根の軒先構造の一例を示しており、野地板等の屋根下地２の上面から軒先３側にかけて雨漏り防止用のルーフィング材４が敷き込まれている。ルーフィング材４は例えばアスファルトフェルト等からなり、シーリング或いはテープ等の固着手段３０を用いて、軒先通気用スペーサ１１の挿入部１２の上面に固着一体化されている。なお図１中の６は水切り板（淀包み板）、９は切妻屋根の淀、１０は破風である。
【００１７】
図２（ａ）はルーフィング材４の上面側にトタン屋根１Ａを葺いた場合の軒先構造の側面図を示しており、（ｂ）はＦ型に形成された軒先通気用スペーサ１１の一例を示し、（ｃ）はＴ型に形成された軒先通気用スペーサ１１の一例を示している。
【００１８】
軒先通気用スペーサ１１は、ルーフィング材４の軒先３側の端部の下面に軒先３の全長に至るように敷設されるものであり、本例では、屋根下地２とルーフィング材４との隙間に挿入される挿入部１２と、軒先３に開放される通気部１３とが一体化されて軒先通気用スペーサ１１が構成されている。通気部１３には、屋根内部の通気及び水抜きを行なうための多数の通孔１４が横一列に隔設されている。
【００１９】
この軒先通気用スペーサ１１は、鋼板の板金加工によって形成される。鋼板として例えばステンレス等の錆びにくい金属素材が選ばれる。なお図２（ｂ）において挿入部１２の幅Ｄ１は例えば１００ｍｍ、リブ１５，１６の垂下長Ｄ２は例えば２０ｍｍ、通気部１３の幅Ｄ３は例えば２５ｍｍとされる。
【００２０】
また通気部１３に形成される多数の通孔１４は、図２（ａ）に示すように、ルーフィング材４の軒先３側の端部よりも低い位置で上下方向Ａに開口している。なお図１の例では、通孔１４を丸い孔としているが、例えば三角形や菱形などの角形であってもよい。角形の場合、水滴は球形なので丸い穴の場合よりも流れ落ちやすく、水切れが一段と良くなる。
【００２１】
上記構成によれば、ルーフィング材４の軒先３側の端部の下面に敷設される軒先通気用スペーサ１１に、軒先３に開放される通気部１３が一体に設けられており、この通気部１３に多数の通孔１４が形成されているので、これら多数の通孔１４を通って外気が屋根内部に出入りするようになり、これにより、屋根内部に湿気が溜まらず乾燥状態に保つことができる。しかもリブ１５，１６は、通孔１４からの空気の出入りを促進する通気ガイドとして機能するので、通気性が一段と良くなる。
【００２２】
一方、降雨時にトタン屋根１Ａを流れる雨水Ｗ１は、図２（ａ）の矢印ハで示すように、軒先折曲部７を回り込まずに落下するようになる。一方、屋根内部に浸入した雨水Ｗ２はルーフィング材４の上面を流れ落ちて、矢印イで示すように、通気部１３に設けた多数の通孔１４から下方に速やかに排出されるようになる。またルーフィング材４から流れる雨水Ｗ２がルーフィング材４の下面と軒先通気用スペーサ１１の挿入部１２との隙間に入り込もうとしても、シーリング或いはテープ等の固着手段３０（図１）及び軒先通気用スペーサ１１の雨返し１２ａによって水切りされるため、雨水Ｗ２がルーフィング材４と挿入部１２との隙間に浸入するのを防ぐことができ、野地板等の雨水による腐食を未然に防止できるようになる。
【００２３】
また本例の軒先通気用スペーサ１１において、通気部１３の下面には、通孔１４の前後両側から下方に向かって突出する前後一対のリブ１５，１６が設けられている。ここでは図２（ａ）のように後側のリブ１５の下端は、水切り板６の上端の雨返し６ｂを前方から覆うようにして配置されているため、雨水Ｗ２が挿入部１２と屋根下地２との隙間に浸入するのを防ぐことができる。さらに、前側のリブ１６は、トタン屋根１Ａの軒先折曲部７の内側に収納されているため、仮りに軒先折曲部７の外側を流れ落ちる雨水が軒先折曲部７の内側に浸入した場合でも前側のリブ１６で遮られてそれ以上の浸入ができなくなる。このようにリブ１５，１６は通気ガイドとしての機能だけでなく、雨返し及び水切りガイドとしても機能するので、水抜きが一段と良好になる。さらに各リブ１５，１６は通気部１３の強度を高める補強リブとしての働きもするので、軒先通気用スペーサ１１の寿命が延びると共に、板金加工によって安価に作成できるので、軒先通気用スペーサ１１の低コストを図ることができる利点もある。なお、図２（ｃ）のように前側のリブ１６は省略可能である。
【００２４】
図３は瓦屋根１Ｂの軒先３に用いられる軒先通気用スペーサ１１の一例を示している。基本的には図２と同様であり、異なる点だけを述べると、本例では、軒先通気用スペーサ１１の通気部１３が瓦桟木を兼ねる縦Ｆ型に形成されている。この通気部１３は、挿入部１２よりも上方に立ち上がる立ち上り片２０と、挿入部１２よりも下方に突出するリブ１９とを備えている。立ち上り片２０には多数の通孔１４が横一列に設けられている。各通孔１４は、ルーフィング材４の軒先３側の端部よりも低い位置で前後方向Ｂに開口している。これら各通孔１４よりも上側から軒先３側に向かって上側のリブ１７が突設されており、各通孔１４よりも下側から軒先３側に向かって下側のリブ１８が突設されている。しかして、図２の実施形態と同様、多数の通孔１４が軒先３に開放されていると共に、上下のリブ１７，１８が、通孔１４からの空気の出入りを促進する通気ガイドとして機能するため、屋根内部の通気性をより高めることができる。一方、降雨時に、屋根内部に浸入した雨水Ｗはルーフィング材４の上面を流れ落ちて、矢印イで示すように、通気部１３に設けた多数の通孔１４から下方に速やかに排出されるようになる。またルーフィング材４から流れる雨水Ｗ２がルーフィング材４の下面に回り込もうとしても、図２の場合と同様、シーリング或いはテープ等の固着手段３０（図１）及び軒先通気用スペーサ１１の雨返し１２ａによって、ルーフィング材４の下面から屋根下地2側へ回り込むことができず、さらに軒先３側から矢印ハで示す方向に雨水が浸入しようとしても、水切り板６の雨返し６ａによって浸入が阻止されるため、野地板等の雨水による腐食を確実に防止できるようになる。さらに、通孔１４から排出される雨水Ｗは下側のリブ１８を伝って流れ落ち、或いは矢印ハで示すようにリブ１８からリブ１９を伝って流れ落ちるため、リブ１８，１９は雨返し及び水切りガイドとしても機能するようになり、水抜きが一段と良くなる。そのうえ３つのリブ１７〜１９は通気部１３の強度を高める補強リブとしての働きもするので、軒先通気用スペーサ１１の長寿命化及び低コスト化を一層図ることができる利点もある。
【図面の簡単な説明】
【００２５】
【図１】本発明の軒先通気用スペーサを屋根の軒先に配置した状態の説明図である。
【図２】（ａ）は同上の軒先通気用スペーサをトタン屋根の軒先に用いた場合の一実施形態の説明図、（ｂ）は軒先通気用スペーサの断面図、（ｃ）は軒先通気用スペーサの他例の断面図である。
【図３】同上の軒先通気用スペーサを瓦屋根の軒先に用いた場合の他の実施形態の説明図である。
【図４】従来例のトタン屋根の軒先構造の説明図である。
【図５】他の従来例のトタン屋根の軒先構造の説明図である。
【図６】（ａ）は従来例の瓦屋根の軒先構造の説明図、（ｂ）は（ａ）の瓦桟木の下面に設けられる雨水排水用の凹溝の説明図である。
【図７】他の従来例の瓦屋根の軒先構造の説明図である。
【符号の説明】
【００２６】
２  屋根下地
３  軒先
４  ルーフィング材
１１  軒先通気用スペーサ
１３  通気部
１４  通孔
１５〜１９  リブ
Ａ  上下方向
Ｂ  前後方向
【図１】
2008002082.tif 000003
【図２】
2008002082.tif 000004
【図３】
2008002082.tif 000005
【図４】
2008002082.tif 000006
【図５】
2008002082.tif 000007
【図６】
2008002082.tif 000008
【図７】
2008002082.tif 000009